(57)【要約】【課題】暖房運転を継続しながら安定した除霜運転ができる空気調和装置を提供する。【解決手段】圧縮機１、四方弁２、室内熱交換器３、減圧器４、室外熱交換器５ａ、５ｂを連結して構成されたヒートポンプ式冷凍サイクルと、室内熱交換器３と減圧器４の間と四方弁２と圧縮機１の吸入側の間を連結すると共に蓄熱槽８と第１の二方弁７を有する第１のバイパス回路６と、蓄熱槽８と第１の二方弁７の間と減圧器４と第一のバイパス回路６の連結部分の間を連結する第２のバイパス回路９と、室内熱交換器３と減圧器４の間に連結された第１のバイパス回路６と第２のバイパス回路９の間に設けられた第２の二方弁１０とを備え、室外熱交換器５ａ、５ｂの除霜時、第２の二方弁１０を閉塞し、第１の二方弁７を開放して、蓄熱槽８に溜まった熱で加熱された冷媒を圧縮機１の吸入側に流すと共に、蓄熱槽８内の液体を液体循環ポンプ１２で室外熱交換器５ａ、５ｂに通過させる。【選択図】図１
2011094864.tif 000002
【特許請求の範囲】
【請求項１】
圧縮機、四方弁、室内熱交換器、減圧器、室外熱交換器を冷媒回路で連結して構成されたヒートポンプ式冷凍サイクルと、前記室内熱交換器と前記減圧器の間と前記四方弁と前記圧縮機の吸入側の間を連結すると共に蓄熱槽と第１の二方弁を有する第１のバイパス回路と、前記蓄熱槽と前記第１の二方弁の間と前記減圧器と前記第一のバイパス回路の連結部分の間を連結する第２のバイパス回路と、前記室内熱交換器と前記減圧器の間に連結された前記第１のバイパス回路と前記第２のバイパス回路の間に設けられた第２の二方弁と、前記蓄熱槽の液体を前記室外熱交換器に通過させ、前記蓄熱槽に液体を戻す液体搬送配管と、前記液体搬送配管を通して前記液体を循環させる液体循環ポンプとを備え、前記室外熱交換器の除霜を行う際、前記第２の二方弁を閉塞し、前記第１の二方弁を開放して、前記蓄熱槽に溜まった熱で加熱された冷媒を前記圧縮機の吸入側に流すと共に、前記蓄熱槽の前記液体を前記室外熱交換器に通過させることを特徴とする空気調和装置。
【請求項２】
室内熱交換器に空気を通す室内送風機を設け、蓄熱槽に熱を蓄熱する場合に、暖房運転中に第２の二方弁を開放し、前記蓄熱槽の中に配置された第１のバイパス回路の中を暖房した後の残熱冷媒を通過させ、蓄熱を行い、前記室内送風機を低回転で運転させることを特徴とする請求項１に記載の空気調和装置。
【請求項３】
第２の二方弁が閉塞される前に、減圧器の絞りを閉方向に変更し、前記第２の二方弁が閉塞して、第１の二方弁が開方向に変更した後、前記減圧器を全開することを特徴とする請求項１又は２に記載の空気調和装置。
【請求項４】
室外熱交換器に設けられた冷媒が通過する配管と液体が通過する配管を、大気吸い込み側の縦１列の中で混在するように配置したことを特徴とする請求項１〜３のいずれか１項に記載の空気調和装置。
【請求項５】
室外熱交換器の中で、液体が通過する配管の位置を、上部および下部の端に配置したことを特徴とする請求項１〜４のいずれか１項に記載の空気調和装置。
【発明の詳細な説明】
【技術分野】
【０００１】
本発明は、空気調和装置に関するもので、特に、ヒートポンプ運転による暖房運転時において、暖房を継続しながら室外熱交換器に付着した霜を除霜する運転を行うことができる空気調和装置に関するものである。
【背景技術】
【０００２】
従来、この種のヒートポンプ式の空気調和装置の除霜方式は、一般的に四方弁を切り換え、冷凍サイクルの冷媒を逆方向に流す除霜方式をとっている。
【０００３】
即ち、除霜運転は、冷房時と同じ冷媒の流動方向とし、室外熱交換器に高温高圧の冷媒を流して、室外熱交換器に付着した霜を融解するものである。
【０００４】
この除霜方式では、除霜時は、室内側の熱交換器が蒸発器となるため、室内の部屋の温度が低下して、冷風感を感じるという基本的課題があった。
【０００５】
この基本的課題への対策として、暖房継続しながら除霜運転するようにした空気調和装置が提案されている（例えば、特許文献１参照）。
【０００６】
図８は、上記特許文献１に記載された従来の空気調和装置の冷凍サイクルの構成図である。
【０００７】
同図に示すように、従来の空気調和装置は、圧縮機１０１、四方弁１０２、室内熱交換器１１０、膨張機構１０５および室外熱交換器１０３を冷媒回路で連結してなるヒートポンプ式冷凍サイクルを備え、この冷凍サイクルにおける前記膨張機構１０５と前記室外熱交換器１０３の間と、前記圧縮機１０１の吸入側の間を連結し、冷媒加熱器１０４を有する冷媒加熱回路と、前記冷凍サイクルにおける圧縮機１０１の吐出側と、前記室外熱交換器１０３と前記四方弁１０２の間を連結する除霜用回路１０９とを備え、前記冷凍サイクルのヒートポンプ運転時において、前記室外熱交換器１０３の除霜を行う際、前記冷媒加熱器１０４によって加熱された冷媒が、前記圧縮機１０１を通った後、前記室内熱交換器１１０を通る流れと、前記除霜用回路１０９から前記室外熱交換器１０３を通る流れとに分岐され、これらの分岐した冷媒の流れが前記冷媒加熱回路の入口で合流し、再び前記冷媒加熱器１０４によって加熱されるように構成されている。
【０００８】
上記特許文献１で課題として取り上げられているように、ヒートポンプ運転を行った際の室外機（図示せず）の除霜運転を行うときに、暖房を継続しながら、除霜運転を行うことは、条件が決まれば可能である。
【先行技術文献】
【特許文献】
【０００９】
【特許文献１】特開平１１−１８２９９４号公報（図８）
【発明の概要】
【発明が解決しようとする課題】
【００１０】
しかしながら、このような従来の空気調和装置の冷凍サイクルの方式では、次のような課題が発生する。
【００１１】
この冷凍サイクルの構成は、除霜運転を行う際に、二方弁１０９ａを開放にして、室外
熱交換器１０３と四方弁１０２との間に、圧縮機１０１の吐出冷媒が流れることになるため、圧縮機１０１の吸入側に除霜するホットガス冷媒が流れないように二方弁１０６が必要となる。
【００１２】
この二方弁１０６は、圧縮機１０１の吸入側に連結され、冷房および暖房運転の圧損を低減するためには、口径の大きなものを採用することとなり、非常に高価な二方弁となってしまうという課題があった。
【００１３】
またヒートポンプ運転から二方弁１０８を開放させて冷媒加熱運転に切り換え、除霜運転を行う方式で室外熱交換器１０３の冷媒の流れが逆転するため、除霜運転を行う前に、二方弁１０７を一端閉運転とする必要があり、この室外熱交換器１０３の入口に二方弁１０７が必要となる。
【００１４】
したがって、この冷凍サイクルでは、４個もの二方弁が必要となり、複雑で高価な方式となる。
【００１５】
また除霜に供された後の冷媒と室内熱交換器１１０で放熱した後の冷媒が合流するため、合流箇所における冷媒圧力が除霜に供された後の冷媒の圧力よりも高ければ、室外熱交換器１０３に冷媒が流れ、逆であれば、室内側に冷媒が流れることになり、暖房しながら除霜運転を行うことが出来ない場合が発生する。
【００１６】
また、除霜に供された後の冷媒と、室内熱交換器１１０で放熱した後の冷媒が合流するため、冷媒音が発生しやすく、前記の圧力バランスの課題と冷媒音課題を解決するために冷媒合流器を必要とする場合が考えられる。
【００１７】
また、前記合流箇所では、冷媒循環量が多くなり圧力損失が増加するため、その対策として配管（図示せず）の管径を大きくすることが必要となり、冷媒加熱器１０４が大型になってしまうという構造的課題もある。
【００１８】
また、連続暖房運転において、除霜運転中に多量に圧縮機１０１へ液冷媒が戻ることから、圧縮機１０１の運転周波数を高周波数に運転できず、連続暖房時の暖房能力が小さい運転となってしまう、という課題もあった。
【００１９】
本発明は、上記従来の課題を解決するもので、冷凍サイクルが簡単なバイパス回路で構成でき、除霜運転中の高効率運転が実現できて、冷媒音、圧力バランスの問題も発生しない安定した除霜運転を、暖房運転を継続しながら実施できる空気調和装置を提供することを目的としている。
【課題を解決するための手段】
【００２０】
上記従来の課題を解決するために、本発明の空気調和装置は、圧縮機、四方弁、室内熱交換器、減圧器、室外熱交換器を冷媒回路で連結して構成されたヒートポンプ式冷凍サイクルと、前記室内熱交換器と前記減圧器の間と前記四方弁と前記圧縮機の吸入側の間を連結すると共に蓄熱槽と第１の二方弁を有する第１のバイパス回路と、前記蓄熱槽と前記第１の二方弁の間と前記減圧器と前記第一のバイパス回路の連結部分の間を連結する第２のバイパス回路と、前記室内熱交換器と前記減圧器の間に連結された前記第１のバイパス回路と前記第２のバイパス回路の間に設けられた第２の二方弁と、前記蓄熱槽の液体を前記室外熱交換器に通過させ、前記蓄熱槽に液体を戻す液体搬送配管と、前記液体搬送配管を通して前記液体を循環させる液体循環ポンプとを備え、前記室外熱交換器の除霜を行う際、前記第２の二方弁を閉塞し、前記第１の二方弁を開放して、前記蓄熱槽に溜まった熱で加熱された冷媒を前記圧縮機の吸入側に流すと共に、前記蓄熱槽の前記液体を前記室外熱
交換器に通過させるもので、高価な弁を使用せずに、暖房運転を行ないながら除霜運転を実施することができる。またこの構成は、除霜運転中の冷媒加熱をヒーターで行わず、暖房の残熱を蓄熱した熱を利用するため、高効率な除霜運転ができる。
【００２１】
また、連続暖房に冷媒回路を使用して、除霜運転を温水利用することから、冷媒音の発生がなく、除霜運転中も使用者には分からないことから快適な暖房運転ができる。
【００２２】
また従来の除霜方法では、除霜したあとの液冷媒が圧縮機に戻り、圧縮機の信頼性を考慮して高い周波数運転ができず、除霜運転時の除霜能力アップができなかったが、この構成より、除霜を温水回路に変える事で、圧縮機の液冷媒が戻ることなく、除霜運転中でも高い圧縮機周波数運転ができることで、圧縮機の信頼性を確保しつつ高能力除霜ができることで、除霜運転の時間を短縮できることと連続暖房の高温風化が実現できる。
【発明の効果】
【００２３】
本発明の空気調和装置は、暖房運転を継続しながら、除霜を安定して実施することができる。
【図面の簡単な説明】
【００２４】
【図１】本発明の実施の形態１における空気調和装置の構成図
【図２】同空気調和装置の構成図（冷媒の流れおよび温水の流れを示す）
【図３】同空気調和装置の構成図（蓄熱冷媒の流れを示す）
【図４】（ａ）従来の空気調和装置の室外熱交換器パス配置図、（ｂ）本願発明の空気調和装置の室外熱交換器パス配置図
【図５】同空気調和装置の制御ブロック図
【図６】同空気調和装置のタイムチャート（連続暖房＋除霜）
【図７】同空気調和装置のタイムチャート（蓄熱）
【図８】従来の空気調和装置の冷凍サイクル構成図
【発明を実施するための形態】
【００２５】
第１の発明は、圧縮機、四方弁、室内熱交換器、減圧器、室外熱交換器を冷媒回路で連結して構成されたヒートポンプ式冷凍サイクルと、前記室内熱交換器と前記減圧器の間と前記四方弁と前記圧縮機の吸入側の間を連結すると共に蓄熱槽と第１の二方弁を有する第１のバイパス回路と、前記蓄熱槽と前記第１の二方弁の間と前記減圧器と前記第一のバイパス回路の連結部分の間を連結する第２のバイパス回路と、前記室内熱交換器と前記減圧器の間に連結された前記第１のバイパス回路と前記第２のバイパス回路の間に設けられた第２の二方弁と、前記蓄熱槽の液体を前記室外熱交換器に通過させ、前記蓄熱槽に液体を戻す液体搬送配管と、前記液体搬送配管を通して前記液体を循環させる液体循環ポンプとを備え、前記室外熱交換器の除霜を行う際、前記第２の二方弁を閉塞し、前記第１の二方弁を開放して、前記蓄熱槽に溜まった熱で加熱された冷媒を前記圧縮機の吸入側に流すと共に、前記蓄熱槽の前記液体を前記室外熱交換器に通過させるもので、高価な弁を使用せずに、暖房運転を行ないながら除霜運転を実施することができる。またこの構成は、除霜運転中の冷媒加熱をヒーターで行わず、暖房の残熱を蓄熱した熱を利用するため、高効率な除霜運転ができる。
【００２６】
また、連続暖房に冷媒回路を使用して、除霜運転を温水利用することから、冷媒音の発生がなく、除霜運転中も使用者には分からないことから快適な暖房運転ができる。
【００２７】
また従来の除霜方法では、除霜したあとの液冷媒が圧縮機に戻り、圧縮機の信頼性を考慮して高い周波数運転ができず、除霜運転時の除霜能力アップができなかったが、この構成より、除霜を温水回路に変える事で、圧縮機の液冷媒が戻ることなく、除霜運転中でも
高い圧縮機周波数運転ができることで、圧縮機の信頼性を確保しつつ高能力除霜ができることで、除霜運転の時間を短縮できることと連続暖房の高温風化が実現できる。
【００２８】
第２の発明は、特に、第１の発明の室内熱交換器に空気を通す室内送風機を設け、蓄熱槽に熱を蓄熱する場合に、暖房運転中に第２の二方弁を開放し、前記蓄熱槽の中に配置された第１のバイパス回路の中を暖房した後の残熱冷媒を通過させ、蓄熱を行い、前記室内送風機を低回転で運転させるもので、除霜運転中の冷媒加熱方法をヒータ等で加熱すると効率が１．０を下回った効率の悪い運転となってしまうが、暖房したあとの残熱を蓄熱させ、その熱を利用することで、１．０以上の効率で冷媒加熱できることになる。したがって、除霜運転中でも、ヒータに頼らない高高率なヒートポンプ運転ができる。また、室内送風機を低回転運転することで、冷媒の圧力を上昇させ、高温冷媒をつくり、蓄熱できる。特に室内暖房負荷が小さい場合には、暖房能力が多く必要とならないため、ヒートポンプの熱を効率よく蓄熱することができる。
【００２９】
第３の発明は、特に、第１又は第２の発明の第２の二方弁が閉塞される前に、減圧器の絞りを閉方向に変更し、前記第２の二方弁が閉塞して、第１の二方弁が開方向に変更した後、前記減圧器を全開するもので、除霜開始判断の後、減圧器の絞りを閉方向にすることで、第２の二方弁動作時の冷媒流速を落として、二方弁動作時の動作信頼性を高めると共に、冷媒の流れが変わるときの冷媒音発生を抑える効果がある。また、第１の二方弁が動作したあとは、室外熱交換器に冷媒が溜まっているので、これを圧縮機に回収するために、減圧器は、全開に制御している。この冷媒回収することで、除霜運転中の冷媒不足運転を解決し、最適な冷媒で、圧縮機の温度上昇をさせることなく、信頼性の高い、高高率な運転ができる。
【００３０】
第４の発明は、特に、第１〜３のいずれか一つの発明の室外熱交換器に設けられた冷媒が通過する配管と液体が通過する配管を、大気吸い込み側の縦１列の中で混在するように配置したもので、除霜運転で冷媒を室外熱交換器に通過させる必要がなく、冷媒が通過する室外熱交換器のパスの中で温水を通過させて除霜ができる。このことから、圧縮機の除霜運転中の信頼性向上が図れ、室外熱交換器のパスを効率配置できる。また、室外熱交換器の縦１列に冷媒通過回路と温水通過回路を構成することで通常の暖房運転の吸熱能力を落とさずに、除霜時の温水通過パスを組むことができる。
【００３１】
第５の発明は、特に、第１〜４のいずれか一つの発明の室外熱交換器の中で、液体が通過する配管の位置を、上部および下部の端に配置したもので、室外熱交換器に付着した霜や、比較的霜が氷となって残りやすい上部および下部に温水を通過させることで、完全に除霜、解氷することができる。
【００３２】
以下、本発明の実施の形態について、図面を参照しながら説明する。なお、この実施の形態により本発明が限定されるものではない。
【００３３】
（実施の形態１）
本発明の実施の形態１における空気調和装置について、図１〜７を用いて説明する。図１は、本実施の形態１における空気調和装置の構成図である。
【００３４】
同図において、本実施の形態における空気調和装置の室外機２０には、圧縮機１と、四方弁２と、減圧器４と、室外熱交換器５ａ、５ｂと、第１のバイパス回路６と、第１の二方弁７と、蓄熱槽８と、第２のバイパス回路９と、第２の二方弁１０と、蓄熱液体循環回路１１と、循環ポンプ１２と、室外送風機１９が配設されている。室内機１８には、室内熱交換器３と、室内送風機１７が配設されている。ここでの減圧器４は、電磁膨張弁でもよい。
【００３５】
次に、図２は、本実施の形態における空気調和装置の冷媒の流れと温水の流れを示した図である。
【００３６】
冷媒の流れは、実線の矢印で、温水の流れは、ブロック矢印でそれぞれ示している。
【００３７】
除霜運転時は、冷媒回路で、連続暖房を運転し、蓄熱液体循環回路１１では、除霜運転を行う。矢印に沿って冷媒の流れを説明すると、冷媒回路の連続暖房運転は、圧縮機１から出た冷媒が、四方弁２を通過して、室内熱交換器３に流れ、高温高圧の冷媒で暖房運転を行い、その後、室内機１８で放熱された冷媒が、第２の二方弁１０を閉状態にすることで、第１のバイパス回路６に冷媒が流れ、蓄熱槽８に冷媒が流れ、蓄熱槽８に溜まった熱により加熱される。その加熱された冷媒は、第１の二方弁７が開状態にすることで、圧縮機１の吸入側に戻り、暖房冷媒回路が構成される。
【００３８】
また、ブロック矢印に沿って、温水の流れを説明すると、蓄熱液体循環回路１１の除霜運転は、蓄熱槽８から循環ポンプ１２で温水を汲み上げ、室外熱交換器５ａ、５ｂに通過させる。その後、温水を室外熱交換器５ａ、５ｂから蓄熱槽８に蓄熱液体循環回路１１でもどることで、除霜温水回路が構成される。２２は、温水を通すための液体搬送配管である。
【００３９】
図３は、本実施の形態１における空気調和装置の暖房運転時に残熱を蓄熱する運転を示している。
【００４０】
矢印に沿って冷媒の流れを説明すると、暖房運転中に第２の二方弁１０を閉弁することで、第１のバイパス回路６に冷媒を通し、蓄熱槽８にて暖房した後の熱を蓄熱する。蓄熱した後は、もとの冷媒通過するメイン回路に冷媒を戻し、通常の暖房運転を継続する。
【００４１】
図４（ａ）は、従来の室外熱交換器パス配置を示すもので、図４（ｂ）は、本実施の形態における室外熱交換器５ａ、５ｂの室外熱交換器パス配置を示している。
【００４２】
また、図４中の矢印の向きは、冷媒の流れを示しており、ブロック矢印は、温水の流れを示している。温水が通過する配管は、黒丸で示す。
【００４３】
本実施の形態では、図４（ｂ）に示すように、室内交換器５ａ、５ｂの列を３列とし、冷媒が通過する配管２２ａ（○）と液体が通過する配管２２ｂ（●）を、大気吸い込み側の縦２列の中で混在するように配置している。これにより、除霜運転で冷媒を室外熱交換器５ａ、５ｂに通過させる必要がなく、冷媒が通過する室外熱交換器５ａ、５ｂのパスの中で温水を通過させて除霜ができる。このことから、圧縮機１の除霜運転中の信頼性向上が図れ、室外熱交換器５ａ、５ｂのパスを効率配置できる。また、室外熱交換器５ａ、５ｂの縦２列に冷媒通過回路と温水通過回路を構成することで通常の暖房運転の吸熱能力を落とさずに、除霜時の温水通過パスを組むことができる。
【００４４】
また、同図４（ｂ）に示すように、液体が通過する配管２２ｂの位置を、上部および下部の端に配置している。これにより、室外熱交換器５ａ、５ｂに付着した霜や、比較的霜が氷となって残りやすい上部および下部に温水を通過させることで、完全に除霜、解氷することができる。
【００４５】
次に図５は、本実施の形態における空気調和装置の制御ブロック図である。
【００４６】
図５では、室外機２０側で、除霜開始判断が除霜開始判断手段５０でなされ、除霜開始
と判断された時に、圧縮機運転手段５１、第１の二方弁開閉手段５２、第２の二方弁開閉手段５３、膨張弁開度可変手段５４、室外送風機運転手段５５、四方弁切換え手段５６、蓄熱液体循環ポンプ運転停止手段５７、室外熱交換器温度検知手段５８、外気温検知手段５９で除霜運転が行われる。
【００４７】
このとき室外機２０からの除霜開始信号を室内機１８で除霜開始信号受信手段６０で受信して、除霜運転の判断より、室内送風機運転手段６１で室内送風機１７を制御する。
【００４８】
次に図６で、本実施の形態１の同制御が動作したときの挙動を示すタイムチャートで説明する。
【００４９】
除霜開始の判断をすると、ステップ１のヒートポンプによる暖房運転からステップ２の連続暖房運転に移行する。このときに、第２の二方弁１０が閉方向に制御され、第１の二方弁７が開制御される。このタイミングから、室内機１８は、除霜開始を受け取り、除霜運転中の室内送風機１７を制御移行する。
【００５０】
また、このとき減圧器４は、第２の二方弁１０の閉制御より少し前に閉方向に制御を行う。
【００５１】
また、閉塞運転をさせない理由から、第１の二方弁７の開制御を、第２の二方弁１０の閉制御より早く動作させた方が良い。
【００５２】
次に、ステップ２からステップ３に移行するときに、圧縮機１の周波数をアップさせ、減圧器４を全開させる。
【００５３】
次に、ステップ３からステップ４に移行するときに、室外送風機１９を停止して、循環ポンプ１２を駆動させて、蓄熱槽８の温水を室外熱交換器５ａ、５ｂに通して、除霜運転を行う。
【００５４】
また、このとき四方弁２は、暖房を継続するため、暖房回路のままで除霜中も切り替えしない。
【００５５】
また室内送風機１７は暖房を継続するので、停止することはない。
【００５６】
次に除霜終了判断後に、ステップ４から５に移行する。このとき、圧縮機１の周波数は、通常暖房運転周波数に移行する。また第２の二方弁１０は、開制御として、通常の暖房回路に冷媒回路を戻す。また第１の二方弁７は、閉弁制御を行う。また減圧器４は、通常暖房制御に移行する。また室外送風機１９、室内送風機１７は、通常の暖房運転に移行する。
【００５７】
ステップ５以降で通常のヒートポンプ暖房運転に復帰する。
【００５８】
本実施の形態１では、圧縮機１の運転周波数を変化させているが、一定速の圧縮機１でも暖房を継続して除霜運転を行うことができる。
【００５９】
ここで、除霜の開始判断は、室外熱交換器５ａ、５ｂの温度および温度変化、外気温度、圧縮機１の運転時間等で一般的に検知し制御されることとする。
【００６０】
次に図７の、本実施の形態１の蓄熱制御が動作したときの挙動を示すタイムチャートで説明する。
【００６１】
通常暖房運転を行っている中で、室外気温度が５℃未満の場合に、除霜運転が発生する可能性がある場合または、室外気温度が５℃以上で室内温度が使用者の設定温度に近づき、暖房負荷が小さい場合は、蓄熱判断を行い、蓄熱開始運転をする。
【００６２】
蓄熱開始判断が出ると、ステップ１からステップ２に移行して、第２の二方弁１０が閉弁制御を行う。冷媒は、第１のバイパス回路６に流れ、蓄熱槽８を通過することで、暖房した後の残熱を蓄熱することができる、その後冷媒は、減圧器４に流れ、通常の暖房運転を行う。
【００６３】
このステップ２では、冷媒の流れが変わることで、減圧器４の制御は、開方向で制御される。
【００６４】
また、室内の暖房負荷が小さい場合は、室内送風機１７を低回転にして、冷媒の高圧を上げて、冷媒温度を上げ、蓄熱量をアップさせる。
【００６５】
なお、上記実施の形態において、第１のバイパス回路６の連結部を、圧縮機１の吸入側と四方弁２との間にしているが、四方弁２と室外熱交換器５ａ、５ｂとの間に第１のバイパス回路６を連結しても今回の除霜運転としては同じ効果が得られる。
【００６６】
さらに、上記説明において、室外熱交換器５ａ、５ｂの列を３列（図４（ｂ）参照）にしているが、従来と同等の２列の中で構成しても良い、また温水通過の配管径を変えて、冷媒配管の隙間に構成しても良く、今回の技術範囲に属するものである。
【００６７】
また、室外機２０と室内機１８とを冷媒配管を介して接続した空気調和装置を例にとり説明したが、本発明はこのように構成された空気調和装置に限定されるものではなく、室外機２０と室内機１８を一体化した屋外設置の空気調和装置等、冷凍サイクル装置であれば、その効果が期待できるものである。
【産業上の利用可能性】
【００６８】
以上のように本発明の空気調和装置は、暖房運転しながら、除霜運転を実施できるので、室外温度が非常に低温の寒冷地での空気調和装置にも適用できる。
【符号の説明】
【００６９】
１  圧縮機
２  四方弁
３  室内熱交換器
４  減圧器
５ａ  室外熱交換器（外気吸い込み上流側）
５ｂ  室外熱交換器（外気吸い込み下流側）
６  第１のバイパス回路
７  第１の二方弁
８  蓄熱槽
９  第２のバイパス回路
１０  第２の二方弁
１１  蓄熱液体循環回路
１２  循環ポンプ  
１７  室内送風機
１８  室内機
１９  室外送風機
２０  室外機
【図１】
2011094864.tif 000003
【図２】
2011094864.tif 000004
【図３】
2011094864.tif 000005
【図４】
2011094864.tif 000006
【図５】
2011094864.tif 000007
【図６】
2011094864.tif 000008
【図７】
2011094864.tif 000009
【図８】
2011094864.tif 000010